(57)【要約】      （修正有）【課題】太陽電池架台を安定且つ強固に支持する基礎杭を提供する。【解決手段】太陽電池モジュールが設置された架台を支持する基礎杭であって、中空部を有する杭本体４０と、杭本体４０の先端側の外周に設けられた螺旋状の羽根部４２と、杭本体４０の先端側の外周に杭本体４０の中空部と外部とが連通するように形成され、杭本体４０の内部に注入されたグラウト材を外部に吐出する連通孔４３と、杭本体４０の基端部に設けられ、架台が配置されて締結される締結フランジ部４４とを備える。【選択図】図２
0003183772.tif 000002
【実用新案登録請求の範囲】
【請求項１】
太陽電池モジュールが設置された架台を支持する基礎杭において、
中空部を有する杭本体と、
上記杭本体の先端側の外周に設けられた螺旋状の羽根部と、
上記杭本体の先端側の外周に上記杭本体の中空部と外部とが連通するように形成され、上記杭本体の内部に注入されたグラウト材を外部に吐出する連通孔と、
上記杭本体の基端部に設けられ、上記架台が配置されて締結される締結フランジ部とを備えることを特徴とする基礎杭。
【請求項２】
上記締結フランジ部には、上記架台を締結する締結孔が形成されており、
上記締結孔は、所定の半径の同心円上に沿って湾曲して形成された長孔であることを特徴とする請求項１に記載の基礎杭。
【請求項３】
上記締結フランジ部上に設けられ、上記架台が配置されて締結される第１の調整部材を更に備えることを特徴とする請求項１又は２に記載の基礎杭。
【請求項４】
先端部が上記杭本体の内面に形成されたネジ部に螺合され、上記架台が配置されて締結される第２の調整部材を更に備えることを特徴とする請求項１又は２に記載の基礎杭。
【請求項５】
先端部が上記第１の調整部材の内面に形成されたネジ部に螺合され、上記架台が配置されて締結される第２の調整部材を更に備えることを特徴とする請求項３に記載の基礎杭。
【請求項６】
先端部が上記杭本体の内面に挿入され、上記架台が配置されて締結される第３の調整部材を更に備えることを特徴とする請求項１又は２に記載の基礎杭。
【請求項７】
先端部が上記第１の調整部材の内面に挿入され、上記架台が配置されて締結される第３の調整部材を更に備えることを特徴とする請求項３に記載の基礎杭。
【請求項８】
先端部が上記第２の調整部材の内面に挿入され、上記架台が配置されて締結される第３の調整部材を更に備えることを特徴とする請求項４又は５に記載の基礎杭。
【請求項９】
上記架台は、受け台を介して支持されることを特徴とする請求項１乃至８の何れかに記載の基礎杭。
【請求項１０】
先端部が上記杭本体、上記第１の調整部材、上記第２の調整部材又は上記第３の調整部材の内面に形成されたネジ部に螺合され、基端側に向かうに連れて縮径となるように形成された上面部に、上記受け台が配置されて締結される第４の調整部材を更に備えることを特徴とする請求項９に記載の基礎杭。
【請求項１１】
上記杭本体の上記羽根部と上記締結フランジ部との間の中途部の外周に設けられたストッパ部を更に備えることを特徴とする請求項１乃至１０の何れかに記載の基礎杭。
【考案の詳細な説明】
【技術分野】
【０００１】
本考案は、太陽電池モジュールが設置された架台を支持する基礎杭に関する。
【背景技術】
【０００２】
従来から、特許文献１に示すような、太陽電池モジュールが設置された架台を支持する基礎杭がある。特許文献１のような従来の基礎杭は、例えばスクリュー状の羽根部を有する鋼管パイプ等で構成されており、アースオーガーを取り付けた油圧ショベル等の建機によって地盤にねじ込まれて先端部が埋設される。そして、地盤に埋設された後に、この従来の基礎杭は、地表から突出された基端部上に架台が配置されて、基端部と架台とがボルト等の締結手段によって締結される。
【０００３】
また、この従来の基礎杭は、雨天工事可能、養生不要、残土処理不要のため、コンクリート基礎工事に比べ、工期を大幅に短縮することができる。更に、この従来の基礎杭は、羽根部を有しているので、回転させることによって高さ（突出量）調整を簡単に行うことができる。更に、埋設作業は、油圧ショベル等の建機にアースオーガーを取り付けて行うため、施工が簡単に行える。更に、位置決めを行った所に直接打ち込んで埋設するために、作業速度が速い。更に、油圧ショベル等の建機で施工するため、搬入、搬出が簡単に行える。
【０００４】
しかしながら、このような従来の基礎杭は、設置する場所が例えば軟弱地盤等の場合、羽根部だけでは支持力が弱く、設置することができない虞がある。そこで、太陽電池モジュールが設置された架台を支持する支持力をより増大させることができ、架台を安定且つ強固に支持することができることが望まれている。
【先行技術文献】
【特許文献】
【０００５】
【特許文献１】特許第４８４６３７８号公報
【考案の概要】
【考案が解決しようとする課題】
【０００６】
本考案は、以上のような問題点に鑑みてなされたものであり、太陽電池モジュールが設置された架台を支持する支持力を従来よりも増大させることができ、架台を安定且つ強固に支持することを可能にした基礎杭を提供することを目的とする。
【課題を解決するための手段】
【０００７】
本考案に係る基礎杭は、太陽電池モジュールが設置された架台を支持する基礎杭において、中空部を有する杭本体と、杭本体の先端側の外周に設けられた螺旋状の羽根部と、杭本体の先端側の外周に杭本体の中空部と外部とが連通するように形成され、杭本体の内部に注入されたグラウト材を外部に吐出する連通孔と、杭本体の基端部に設けられ、架台が配置されて締結される締結フランジ部とを備える。
【０００８】
更に、締結フランジ部には、架台を締結する締結孔が形成されており、締結孔は、所定の半径の同心円上に沿って湾曲して形成された長孔であるようにしても良い。
【０００９】
更に、締結フランジ部上に設けられ、架台が配置されて締結される第１の調整部材を更に備えるようにしても良い。
【００１０】
更に、先端部が杭本体又は第１の調整部材の内面に形成されたネジ部に螺合され、架台が配置されて締結される第２の調整部材を更に備えるようにしても良い。
【００１１】
更に、先端部が杭本体、第１の調整部材又は第２の調整部材の内面に挿入され、架台が配置されて締結される第３の調整部材を更に備えるようにしても良い。
【００１２】
更に、架台は、受け台を介して支持されるようにしても良い。
【００１３】
更に、先端部が杭本体、第１の調整部材、第２の調整部材又は第３の調整部材の内面に形成されたネジ部に螺合され、基端側に向かうに連れて縮径となるように形成された上面部に、受け台が配置されて締結される第４の調整部材を更に備えるようにしても良い。
【００１４】
更に、杭本体の羽根部と締結フランジ部との間の中途部の外周に設けられたストッパ部を更に備えるようにしても良い。
【考案の効果】
【００１５】
本考案は、杭本体の先端側の外周に杭本体の内部と外部とを連通させる連通孔が形成されているので、地盤に埋設された後又は地盤に埋設されつつ、杭本体の内部に注入されたグラウト材が連通孔を通じて羽根部によって崩された地中の隙き間に浸出して硬化されることで、基礎杭の周囲に周囲部分が形成されるので、羽根部による太陽電池モジュールが設置された架台を支持する支持力に加え、この周囲部分によって特に先端部にて太陽電池モジュールが設置された架台を支持する支持力を増大させることができる。したがって、本考案は、太陽電池モジュールが設置された架台を安定且つ強固に支持することができる。
【図面の簡単な説明】
【００１６】
【図１】本考案を適用した基礎杭の使用例を示した斜視図である。
【図２】第１の実施の形態の基礎杭を示した正面図である。
【図３】締結フランジ部の締結孔を示した平面図であり、（Ａ）は、長孔状に設けた例を示し、（Ｂ）は、円形状に設けた例を示している。
【図４】第２の実施の形態の基礎杭を示した正面図である。
【図５】調整部材の締結孔を示した平面図であり、（Ａ）は、長孔状に設けた例を示し、（Ｂ）は、円形状に設けた例を示している。
【図６】第３の実施の形態の基礎杭を示した縦面図である。
【図７】第４の実施の形態の基礎杭を示した縦面図である。
【図８】第５の実施の形態の基礎杭を示した縦面図である。
【図９】止め部材を示した斜視図である。
【図１０】第５の実施の形態の変形例の基礎杭を示した縦面図である。
【図１１】第４の調整部材を示した縦面図であり、（Ａ）は、上面部を半円球状に設けた例を示し、（Ｂ）は、上面部を円錐状に設けた例を示している。
【図１２】第６の実施の形態の基礎杭を示した縦面図である。
【考案を実施するための形態】
【００１７】
以下、本考案を適用した基礎杭について、図面を参照しながら詳細に説明する。なお、本考案は以下の例に限定されるものではなく、本考案の要旨を逸脱しない範囲で、任意に変更可能である。
【００１８】
＜１．基礎杭の概要＞
本考案を適用した基礎杭１は、図１に示すように、例えば、農地、遊休地、空き地、荒れ地等の地盤１０に先端部が埋設され、地盤１０の地表１０ａから突出された基端部で、太陽電池モジュール２０が１又は複数個設置された架台３０を支持する基礎となる、太陽電池架台専用の基礎杭である。
【００１９】
＜２．架台＞
基礎杭１によって支持される架台３０は、図１に示すように、支柱を矩形状に組み合わせて形成され、太陽電池モジュール２０が取り付けられる枠体３１と、枠体３１の下側の各コーナ部等から突出された脚部３２とを有している。枠体３１には、太陽電池モジュール２０が１又は複数個設置される。脚部３２は、枠体３１に取り付けられた太陽電池モジュール２０が水平方向に対して、５度、１０度、１５度、３０度等、所定の角度傾いて設けられるように、下端部の位置を揃えるとともに、幅方向の一方の脚部３２と他方の脚部３２とでは長さが異なるように設けられている。更に、脚部３２は、基礎杭１上に設置され、基礎杭１にボルト等の締結手段で締結される。なお、架台３０は、脚部３２の下端部の位置が揃うように設けられることが好ましいが、位置が異なるように設けても良い。更に、架台３０は、脚部３２を有さずに、太陽電池モジュール２０が取り付けられる枠体３１だけを有するようにしても良い。
【００２０】
＜３．第１の実施の形態＞
第１の実施の形態の基礎杭１は、図２に示すように、有底円筒状の鋼管等から成る杭本体４０を備えている。この杭本体４０は、先端部が先鋭状（錐状）に形成されており、掘削部４１として機能する。更に、この杭本体４０の先端部近傍の外周には、ねじ込みのための羽根部４２が設けられている。この羽根部４２は、杭本体４０が回転によって地盤１０にねじ込んで入って行くように雄ネジの役割を果たすもので、円形の杭本体４０の表面に沿って螺旋状に羽根を設けたような形態を有している。
【００２１】
更に、杭本体４０の先端部近傍の外周には、中空内部と外部とを連通させる連通孔４３が羽根部４２，４２間に１又は複数個形成されている。これにより、杭本体４０は、連通孔４３により、杭本体４０を輸送管としてグラウト材を杭本体４０の周辺部、特に先端部の周辺部に送り込むことができるようになる。更に、連通孔４３は、杭本体４０の先端部（掘削部４１）に設けないことで、中空部に土が入ることを防止することができる。なお、連通孔４３は、杭本体４０の外周に形成されることに代えて又は加えて杭本体４０の先端部（掘削部４１）に形成されるようにしても良い。
【００２２】
更に、杭本体４０の基端部には、架台３０の脚部３２が配置されて締結される締結フランジ部４４が設けられている。この締結フランジ部４４は、金属製の板材で形成されており、平面視において、円形状又は四角形や六角形や八角形等の多角形状に設けられている。更に、締結フランジ部４４には、図３（Ａ）に示すように、締結フランジ部４４に配置された架台３０の脚部３２を締結する締結孔４５が形成されている。この締結孔４５は、例えば、所定の半径の同心円上に沿って湾曲して形成された長孔であり、等間隔に４個形成されている。このような締結フランジ部４４は、図２に示すように、架台３０の脚部３２が架台３０の脚部３２のフランジ部３２ａに形成された貫通孔３３と締結孔４５とを一致させるように配置された後に、貫通孔３３と締結孔４５とに挿通されたボルト３４ａにナット３４ｂを締め付けることで、架台３０の脚部３２が取り付けられる。なお、締結孔４５は、湾曲した長孔であることが好ましいが、図３（Ｂ）に示すように、円形状に形成されていても良い。更に、締結孔４５の数は、４個に限定されるものではなく、１個又は複数個形成されていれば良く、適宜変更可能である。
【００２３】
以上のような構成を有する基礎杭１は、以下のようにして、地盤１０に設置（埋設）される。先ず、基礎杭１は、アースオーガーを取り付けた油圧ショベル等の建機から成る回転機に基端部が接続された状態で、地盤１０上に設置される架台３０の脚部３２に対応する一の位置に移動される。次いで、基礎杭１は、回転機によって杭本体４０の軸周りに回転され、先端部を挿入端として地盤１０にねじ込まれて、先端部が所定の深さ埋設される。次いで、同様にして、複数個の基礎杭１が、回転機によって、地盤１０上に設置される架台３０の脚部３２に対応する他の位置に移動されて、地盤１０に先端部が埋設される。この際、基礎杭１は、地表１０ａから突出される基端部の突出量（基端部の高さ）が略同じ高さとなるように埋設されるようにする。
【００２４】
次いで、注入機によって杭本体４０の内部にグラウト材が注入される。すると、連通孔４３を通じてグラウト材が羽根部４２によって崩された地中の隙間に浸出する。そして、基礎杭１は、図２に示すように、地中の隙き間に浸出したグラウト材が硬化して周囲部分４６となり、この周囲部分４６によって特に先端部の支持力が増大することとなる。よって、基礎杭１は、架台３０を安定且つ強固に支持することができる。なお、基礎杭１は、地盤１０に埋設された後にクラウド材を注入することに限定されるものではなく、地盤１０に埋設されつつクラウド材が注入されるようにしても良い。
【００２５】
また、周囲部分４６は、より好ましくは、基礎杭１が例えば畑や田んぼ等に形成される場合、肥え土部分よりも深い位置に形成されるようにする。例えば、周囲部分４６は、地表１０ａから４０ｃｍよりも深い位置に形成されるようにする。これにより、現状復帰するために基礎杭１を地盤１０から抜き取った際に、周囲部分４６を構成していたグラウト材が肥え土部分に悪影響を与えず、容易に現状復帰することができる。
【００２６】
次いで、先端部が所定の深さまで埋設されるとともに基端部が地表１０ａから所定の長さだけ突出された基礎杭１には、下記のようにして架台３０が設置される。先ず、架台３０が杭本体４０の基端部上に配置される。この際、架台３０の脚部３２のフランジ部３２ａに形成された貫通孔３３と締結フランジ部４４の締結孔４５とが一致するように、架台３０の脚部３２のフランジ部３２ａと締結フランジ部４４とを当接させる。次いで、ボルト３４ａを貫通孔３３と締結フランジ部４４の締結孔４５とに挿通させた後に、ナット３４ｂに締め付けることで、架台３０の脚部３２のフランジ部３２ａと基礎杭１の締結フランジ部４４とを締結する。
【００２７】
以上のように、第１の実施の形態の基礎杭１は、杭本体４０の先端部近傍の外周に、中空内部と外部とを連通させる連通孔４３が形成されている。したがって、基礎杭１は、地盤１０に埋設された後又は地盤１０に埋設されつつ、杭本体４０の内部に注入されたグラウト材が連通孔４３を通じて羽根部４２によって崩された地中の隙き間に浸出して硬化されることで、基礎杭１の周囲に周囲部分４６が形成され、この周囲部分４６によって特に先端部にて支持力を増大することができる。よって、基礎杭１は、架台３０を安定且つ強固に支持することができる。
【００２８】
更に、基礎杭１は、締結フランジ部４４に形成された締結孔４５が所定の半径の同心円上に沿って湾曲した長孔であるので、締結孔４５を架台３０の脚部３２のフランジ部３２ａに形成された貫通孔３３に正確に合わせて回転機で埋設する必要がなく、締結孔４５の配置位置の自由度が高く、この締結孔４５と架台３０の脚部３２のフランジ部３２ａに形成された貫通孔３３とを容易に位置合わせすることができ、容易に架台３０を取り付けることができる。
【００２９】
なお、基礎杭１は、基端部の高さが略同じ高さとなるように設けることが好ましいが、これに限定されるものではなく、架台３０の脚部３２の下端部の位置が異なる場合、脚部３２の下端部の位置に対応するように、基礎杭１の基端部の高さが異なるように設けても良い。例えば、架台３０の幅方向の一端側の脚部３２の下端部の位置が幅方向の他端側の脚部３２の下端部の位置よりも低い場合には、一端側の脚部３２を支持する基礎杭１の基端部の高さを、他端側の脚部３２を支持する基礎杭１の基端部の高さよりも低く設けるようにする。この際、基礎杭１は、先端部の埋設量を異ならせることで基端部の突出量を異ならせても良く、単に全長を異ならせることで、基端部の突出量を異ならせても良い。
【００３０】
＜４．第２の実施の形態＞
第２の実施の形態の基礎杭１は、第１の実施の形態の基礎杭１が締結フランジ部４４上に直接的に架台３０を支持するのに対して、図４に示すように、締結フランジ部４４上に設けられた第１の調整部材５０を更に備え、この第１の調整部材５０を介して架台３０を支持する。例えば傾斜面等に基礎杭１を同じ深さ埋設させる場合、基端部の高さが異なる。このような場合に、第１の調整部材５０は、基端部の高さが低い基礎杭１又は全ての基礎杭１の締結フランジ部４４上に取り付けられて、基礎杭１の基端部の高さが略同じ高さとなるように調整するものである。なお、第１の調整部材５０以外の構成については、第１の実施の形態の基礎杭１と同様の構成を有するので、ここでは同じ符号を付して説明を省略する。
【００３１】
第１の調整部材５０は、杭本体４０と略同じ径を有する円筒状や円柱状の鋼管等で構成され、両端部にフランジ部５１ａ，５１ｂが設けられている。一端部に設けられた第１のフランジ部５１ａは、基礎杭１の締結フランジ部４４と締結され、他端部に設けられた第２のフランジ部５１ｂは、架台３０の脚部３２のフランジ部３２ａと締結される。更に、第１のフランジ部５１ａ及び第２のフランジ部５１ｂは、締結フランジ部４４と同様に、金属製の板材で形成されており、平面視において、円形状又は四角形や六角形や八角形等の多角形状に設けられている。更に、第１のフランジ部５１ａ及び第２のフランジ部５１ｂには、図５（Ａ）に示すように、締結フランジ部４４と同様に、締結孔５２が形成されている。この締結孔５２は、所定の半径の同心円上に沿って湾曲して形成された長孔であり、等間隔に４個形成されている。なお、締結孔５２は、湾曲した長孔であることが好ましいが、図５（Ｂ）に示すように、円形状に形成されていても良い。更に、締結孔５２の数は、４個に限定されるものではなく、１個又は複数個形成されていれば良く、適宜変更可能である。
【００３２】
以上のような構成を有する基礎杭１は、以下のようにして、地盤１０に設置（埋設）される。なお、杭本体４０が地盤１０に埋設されるまでの工程は第１の実施の形態と同様の工程を有するのでここでは説明を省略する。図４に示すように、杭本体４０が地盤１０に埋設された後に、第１の調整部材５０は、例えば基端部の高さが低い杭本体４０の締結フランジ部４４上に配置される。この際、第１のフランジ部５１ａに形成された締結孔５２と締結フランジ部４４の締結孔４５とが一致するように、第１の調整部材５０の第１のフランジ部５１ａと締結フランジ部４４とを当接させる。次いで、ボルト３４ａを締結孔５２と締結フランジ部４４の締結孔４５とに挿通させた後に、ナット３４ｂに締め付けることで、第１の調整部材５０の第１のフランジ部５１ａと基礎杭１の締結フランジ部４４とを締結する。以上のようにして、基礎杭１は、第１の調整部材５０によって、基端部が他の基礎杭１の基端部と略同じ高さとなるように設けられる。
【００３３】
次いで、注入機によって第１の調整部材５０の他端側から、第１の調整部材５０及び杭本体４０の内部にグラウト材が注入される。すると、連通孔４３を通じてグラウト材が羽根部４２によって崩された地中の隙き間に浸出する。そして、基礎杭１は、地中の隙き間に浸出したグラウト材が硬化して周囲部分４６となり、この周囲部分４６によって特に先端部にて支持力が増大することとなる。よって、基礎杭１は、架台３０を安定且つ強固に支持することができる。なお、基礎杭１は、杭本体４０及び第１の調整部材５０が地盤１０に埋設された後にクラウド材を注入することに限定されるものではなく、杭本体４０が地盤１０に埋設されて第１の調整部材５０が埋設される前にクラウド材を注入するようにしても良く、杭本体４０が地盤１０に埋設されつつクラウド材を注入するようにしても良い。
【００３４】
次いで、基端部が略同じ高さとなった基礎杭１の締結フランジ部４４及び第１の調整部材５０の第２のフランジ部５１ｂ上に架台３０が配置される。この際、第２のフランジ部５１ｂに形成された締結孔５２と架台３０の脚部３２のフランジ部３２ａの貫通孔３３とが一致するように、第１の調整部材５０の第２のフランジ部５１ｂと架台３０の脚部３２のフランジ部３２ａとを当接させる。次いで、ボルト３４ａを締結孔５２と貫通孔３３とに挿通させた後に、ナット３４ｂに締め付けることで、第１の調整部材５０の第２のフランジ部５１ｂと架台３０の脚部３２のフランジ部３２ａとを締結する。なお、基礎杭１の締結フランジ部４４と架台３０の脚部３２のフランジ部３２ａとの締結方法については、第１の実施の形態と略同じ工程を有するので、ここでは省略する。
【００３５】
以上のように、第２の実施の形態の基礎杭１は、上述した第１の実施の形態の基礎杭１と同様の作用効果に加え、締結フランジ部４４上に第１の調整部材５０を設けて、第１の調整部材５０を介して架台３０を支持するので、例えば傾斜面等に埋設する場合であっても、第１の調整部材５０によって、基礎杭１の基端部の高さを例えば略同じ高さとなるように調整することができる。よって、基礎杭１は、例えば傾斜面等に埋設する場合であっても、架台３０を容易に取り付けることができる。
【００３６】
なお、基礎杭１は、基礎杭１の基端部の高さが略同じ高さとなるように設けることが好ましいが、これに限定されるものではなく、架台３０の脚部３２の下端部の位置が異なる場合、脚部３２の下端部の位置に対応するように、基礎杭１の基端部の高さが異なるように設けても良い。例えば、架台３０の幅方向の一端側の脚部３２の下端部の位置が幅方向の他端側の脚部３２の下端部の位置よりも低い場合には、一端側の脚部３２を支持する基礎杭１の基端部の高さを、他端側の脚部３２を支持する基礎杭１の基端部の高さよりも低く設けるようにする。この際、基礎杭１は、第１の調整部材５０の長さを異ならせることで基端部の突出量を異ならせても良く、杭本体４０の先端部の埋設量を異ならせることで基端部の突出量を異ならせても良く、杭本体４０の全長を異ならせることで、基端部の突出量を異ならせても良い。
【００３７】
更に、基礎杭１は、第１の調整部材５０を複数個積層して、基礎杭１の基端部の高さが略同じ高さ又は異なる高さとなるように設けても良い。
【００３８】
＜５．第３の実施の形態＞
第３の実施の形態の基礎杭１は、第２の実施の形態の基礎杭１が締結フランジ部４４上に軸方向の長さ調整をした第１の調整部材５０を介して架台３０を支持するので基礎杭１，１間の高さが比較的大きく異なる場合に有効であるのに対して、図６に示すように、杭本体４０の基端部側の内周面に形成されたネジ部に螺合する第２の調整部材６０を更に備え、この第２の調整部材６０を介して架台３０を支持する。例えば若干の傾斜を有する傾斜面に基礎杭１を同じ深さ埋設させて、基端部の高さが若干異なる場合や、基礎杭１を埋設させた後に基端部の高さの微調整が必要な場合等に、第２の調整部材６０は、基端部の高さが低い基礎杭１又は全ての基礎杭１の内面のネジ部に螺合されて、基礎杭１の基端部の高さが略同じ高さとなるように調整するものである。なお、第２の調整部材６０以外の構成については、第１の実施の形態の基礎杭１と同様の構成を有するので、ここでは同じ符号を付して説明を省略する。
【００３９】
第２の調整部材６０は、杭本体４０の内周面と略同じ外径を有する円筒状や円柱状の鋼管等で構成されている。この第２の調整部材６０の先端部には、杭本体４０の内周面に形成されたネジ部と螺合するネジ部６１が形成されている。したがって、第２の調整部材６０は、軸周りの一方向側に回転されると、杭本体４０内から外部側に次第に突出し、他方向側に回転されると、杭本体４０内に次第に入っていく。すなわち、基礎杭１は、第２の調整部材６０を回転させることで、第２の調整部材６０の杭本体４０からの突出量を調整することができる。
【００４０】
更に、第２の調整部材６０の基端部には、架台３０の脚部３２のフランジ部３２ａと締結されるフランジ部６２が設けられている。フランジ部６２は、締結フランジ部４４と同様に、金属製の板材で形成されており、平面視において、円形状又は四角形や六角形や八角形等の多角形状に設けられている。更に、フランジ部６２には、締結フランジ部４４と同様に、締結孔６３が形成されている。この締結孔６３は、所定の半径の同心円上に沿って湾曲して形成された長孔であり、等間隔に４個形成されている。なお、締結孔６３は、湾曲した長孔であることが好ましいが、円形状に形成されていても良い。更に、締結孔６３の数は、４個に限定されるものではなく、１個又は複数個形成されていれば良く、適宜変更可能である。
【００４１】
以上のような構成を有する基礎杭１は、以下のようにして、地盤１０に設置（埋設）される。なお、杭本体４０が地盤１０に埋設されてクラウド材が注入されるまでの工程は第１の実施の形態と同様の工程を有するのでここでは説明を省略する。図６に示すように、杭本体４０が地盤１０に埋設されてクラウド材が注入された後に、第２の調整部材６０は、例えば基端部の高さが低い基礎杭１の杭本体４０内のネジ部に螺合される。次いで、基礎杭１は、第２の調整部材６０を回転させて杭本体４０からの突出量を調整することで、基端部が他の基礎杭１の基端部と略同じ高さとなるようにする。以上のようにして、基礎杭１は、第２の調整部材６０によって、基端部が他の基礎杭１の基端部と略同じ高さとなるように設けられる。
【００４２】
次いで、基端部が略同じ高さとなった基礎杭１の締結フランジ部４４及び第２の調整部材６０上に架台３０が配置される。この際、フランジ部６２に形成された締結孔６３と架台３０の脚部３２のフランジ部３２ａの貫通孔３３とが一致するように、第２の調整部材６０のフランジ部６２と架台３０の脚部３２のフランジ部３２ａとを当接させる。次いで、ボルト３４ａを貫通孔３３と締結孔６３とに挿通させた後に、ナット３４ｂに締め付けることで、第２の調整部材６０のフランジ部６２と架台３０の脚部３２のフランジ部３２ａとを締結する。なお、基礎杭１の締結フランジ部４４と架台３０の脚部３２のフランジ部３２ａとの締結方法については、第１の実施の形態と略同じ工程を有するので、ここでは省略する。
【００４３】
以上のように、第３の実施の形態の基礎杭１は、上述した第１の実施の形態の基礎杭１と同様の作用効果に加え、杭本体４０内に第２の調整部材６０を螺合させて、第２の調整部材６０を介して架台３０を支持するので、第２の調整部材６０を回転させて杭本体４０からの突出量を調整することで、基礎杭１の基端部の高さが例えば略同じ高さとなるようにすることができる。よって、基礎杭１は、例えば傾斜面等に埋設する場合であっても、架台３０を容易に取り付けることができる。
【００４４】
なお、基礎杭１は、基端部の高さが略同じ高さとなるように設けることが好ましいが、これに限定されるものではなく、架台３０の脚部３２の下端部の位置が異なる場合、脚部３２の下端部の位置に対応するように、基礎杭１の基端部の高さが異なるように設けても良い。例えば、架台３０の幅方向の一端側の脚部３２の下端部の位置が幅方向の他端側の脚部３２の下端部の位置よりも低い場合には、一端側の脚部３２を支持する基礎杭１の基端部の高さを、他端側の脚部３２を支持する基礎杭１の基端部の高さよりも低く設けるようにする。この際、基礎杭１は、第２の調整部材６０の突出量を異ならせることで基端部の突出量を異ならせても良く、杭本体４０の先端部の埋設量を異ならせることで基端部の突出量を異ならせても良く、杭本体４０の全長を異ならせることで、基端部の突出量を異ならせても良い。
【００４５】
更に、基礎杭１は、第２の実施の形態の基礎杭１のように、杭本体４０の締結フランジ部４４上に内周面にネジ部が形成された第１の調整部材５０を設け、第１の調整部材５０の内周面に形成されたネジ部に第２の調整部材６０が螺合されるようにしても良い。これにより、基礎杭１は、第１の調整部材５０によって他の基礎杭と基端部の高さを大まかに調整しつつ、第２の調整部材６０によって基端部の高さを微調整して、より正確に高さ調整することができる。
【００４６】
＜６．第４の実施の形態＞
第４の実施の形態の基礎杭１は、第３の実施の形態の基礎杭１の第２の調整部材６０が先端部にネジ部６１が形成されて、杭本体４０の内周面に形成されたネジ部と螺合されることで杭本体４０に取り付けられるのに対して、図７に示すように、先端部及び杭本体４０の内周面にネジ部６１を形成せずに、先端部が杭本体４０の基端部側から内部に挿入されて締結手段によって締結されることで杭本体４０に取り付けられる第３の調整部材７０を更に備え、この第３の調整部材７０を介して架台３０を支持する。例えば若干の傾斜を有する傾斜面に基礎杭１を同じ深さ埋設させて、基端部の高さが若干異なる場合や、基礎杭１を埋設させた後に基端部の高さの微調整が必要な場合等に、第３の調整部材７０は、基端部の高さが低い基礎杭１又は全ての基礎杭１の内面に圧入されて、基礎杭１の基端部の高さが略同じ高さとなるように調整するものである。なお、第３の調整部材７０以外の構成については、第１の実施の形態の基礎杭１と同様の構成を有するので、ここでは同じ符号を付して説明を省略する。
【００４７】
第３の調整部材７０は、杭本体４０の内周面と略同じ外径を有する円筒状や円柱状の鋼管等で構成されている。更に、第３の調整部材７０の基端部には、架台３０の脚部３２のフランジ部３２ａと締結されるフランジ部７１が設けられている。フランジ部７１は、締結フランジ部４４と同様に、金属製の板材で形成されており、平面視において、円形状又は四角形や六角形や八角形等の多角形状に設けられている。更に、フランジ部７１には、締結フランジ部４４と同様に、締結孔７２が形成されている。この締結孔７２は、所定の半径の同心円上に沿って湾曲して形成された長孔であり、等間隔に４個形成されている。なお、締結孔７２は、湾曲した長孔であることが好ましいが、円形状に形成されていても良い。更に、締結孔７２の数は、４個に限定されるものではなく、１個又は複数個形成されていれば良く、適宜変更可能である。
【００４８】
以上のような構成を有する基礎杭１は、以下のようにして、地盤１０に設置（埋設）される。なお、杭本体４０が地盤１０に埋設されてクラウド材が注入されるまでの工程は第１の実施の形態と同様の工程を有するのでここでは説明を省略する。図７に示すように、杭本体４０が地盤１０に埋設されてクラウド材が注入された後に、第３の調整部材７０は、例えば基端部の高さが低い基礎杭１の杭本体４０内に挿入され、杭本体４０からの突出量を調整して、基端部が他の基礎杭１の基端部と略同じ高さとなるように調整した後に、溶接等の締結手段によって杭本体４０に締結される。以上のようにして、基礎杭１は、第３の調整部材７０によって、基端部が他の基礎杭１の基端部と略同じ高さとなるように設けられる。
【００４９】
次いで、基端部が略同じ高さとなった基礎杭１の締結フランジ部４４及び第３の調整部材７０上に架台３０が配置される。この際、フランジ部７１に形成された締結孔７２と架台３０の脚部３２のフランジ部３２ａの貫通孔３３とが一致するように、第３の調整部材７０のフランジ部７１と架台３０の脚部３２のフランジ部３２ａとを当接させる。次いで、ボルト３４ａを貫通孔３３と締結孔７２とに挿通させた後に、ナット３４ｂに締め付けることで、第３の調整部材７０のフランジ部７１と架台３０の脚部３２のフランジ部３２ａとを締結する。なお、基礎杭１の締結フランジ部４４と架台３０の脚部３２のフランジ部３２ａとの締結方法については、第１の実施の形態と略同じ工程を有するので、ここでは省略する。
【００５０】
以上のように、第４の実施の形態の基礎杭１は、上述した第１の実施の形態の基礎杭１と同様の作用効果に加え、杭本体４０からの突出量が調整された第３の調整部材７０を介して架台３０を支持するので、基礎杭１の基端部の高さが例えば略同じ高さとなるようにすることができる。よって、基礎杭１は、例えば傾斜面等に埋設する場合であっても、架台３０を容易に取り付けることができる。
【００５１】
なお、基礎杭１は、基端部の高さが略同じ高さとなるように設けることが好ましいが、これに限定されるものではなく、架台３０の脚部３２の下端部の位置が異なる場合、脚部３２の下端部の位置に対応するように、基礎杭１の基端部の高さが異なるように設けても良い。例えば、架台３０の幅方向の一端側の脚部３２の下端部の位置が幅方向の他端側の脚部３２の下端部の位置よりも低い場合には、一端側の脚部３２を支持する基礎杭１の基端部の高さを、他端側の脚部３２を支持する基礎杭１の基端部の高さよりも低く設けるようにする。この際、基礎杭１は、第２の調整部材６０の突出量を異ならせることで基端部の突出量を異ならせても良く、杭本体４０の先端部の埋設量を異ならせることで基端部の突出量を異ならせても良く、杭本体４０の全長を異ならせることで、基端部の突出量を異ならせても良い。
【００５２】
更に、基礎杭１は、第３の調整部材７０を溶接によって杭本体４０に締結することに限定されるものではなく、図８に示すように、先端部が杭本体４０の基端部側から内部に挿入された後に第３の調整部材７０と杭本体４０との間に楔部材７３を打ち込んで、楔部材７３等の締結手段によって第３の調整部材７０を杭本体４０に固定するようにしても良い。
【００５３】
更に、基礎杭１は、図８に示すように、第３の調整部材７０の先端部がそれ以上内部に入り込むことを規制する止め部材７４等の締結手段によって第３の調整部材７０を杭本体４０に固定するようにしても良い。この止め部材７４は、棒状の長尺部材であって、杭本体４０に対して側方から貫通するように設けられている。ここでは、止め部材７４は、２個設けられ、平面視十字状をなすように杭本体４０に設けられている。また、止め部材７４は、杭本体４０から抜け落ちてしまうことを防止するために、図９に示すように、両端部に止め部材７４が挿通される杭本体４０の貫通孔よりも大きな拡大部７５ａを設けたり、貫通孔よりも大きなナット７５ｂを螺合させて、規制部７５を設けるようにしても良い。
【００５４】
更に、基礎杭１は、第２の実施の形態の基礎杭１のように、杭本体４０の締結フランジ部４４上に第１の調整部材５０を設け、第３の調整部材７０が第１の調整部材５０内に挿入されて第１の調整部材５０に溶接や楔部材７３や止め部材７４等の締結手段によって締結されるようにしても良い。これにより、基礎杭１は、第１の調整部材５０によって他の基礎杭と基端部の高さを大まかに調整しつつ、第３の調整部材７０によって基端部の高さを微調整して、より正確に高さ調整することができる。
【００５５】
更に、基礎杭１は、第３の実施の形態の基礎杭１のように、杭本体４０の基端側又は第１の調整部材５０の基端側に第２の調整部材６０を設け、第３の調整部材７０が第２の調整部材６０内に挿入されて第２の調整部材６０に溶接や楔部材７３や止め部材７４等の締結手段によって締結されるようにしても良い。これにより、基礎杭１は、第２の調整部材６０及び第３の調整部材７０によって基端部の高さを微調整して、より正確に高さ調整することができる。
【００５６】
＜７．第５の実施の形態＞
第５の実施の形態の基礎杭１は、第１〜第４の実施の形態の基礎杭１が枠体３１と脚部３２とを有する架台３０を支持するのに対して、図８に示すように、脚部３２が無くて枠体３１だけを有する架台３０を支持するものである。例えば、基礎杭１は、第３の調整部材７０の基端部上に受け台１００を取り付けて、この受け台１００を介して枠体３１だけの架台３０を支持する。受け台１００は、上面１００ａが下面１００ｂに対して所定の角度傾いて形成されており、断面が直角三角形状に設けられた長尺部材であり、上面に太陽電池モジュール２０が取り付けられる。
【００５７】
以上のように、第５の実施の形態の基礎杭１は、第３の調整部材７０の基端部上に受け台１００が設けられているので、この受け台１００を介して枠体３１だけの架台３０であっても支持することができる。更に、基礎杭１は、第３の調整部材７０の基端部上に受け台１００が設けられて、この受け台１００を介して枠体３１だけの架台３０が支持されるので、第３の調整部材７０によって、受け台１００の上面１００ａ（太陽電池モジュール２０）の水平方向に対する角度出しを容易且つ正確に行うことができる。
【００５８】
なお、受け台１００は、第３の調整部材７０上に設けることに限定されるものではなく、杭本体４０の締結フランジ部４４上や第１の調整部材５０上や第２の調整部材６０上に設けるようにしても良い。
【００５９】
更に、図１０に示すように、第３の調整部材７０の基端部側の内周面に形成されたネジ部に螺合する第４の調整部材８０を更に備え、この第４の調整部材８０を介して受け台１００を支持するようにしても良い。
【００６０】
第４の調整部材８０は、図１１（Ａ）及び図１１（Ｂ）に示すように、第３の調整部材７０の内周面と略同じ外径を有する有天円筒状又は円柱状の鋼管等で構成されている。この第４の調整部材８０の先端部には、第３の調整部材７０の内周面に形成されたネジ部と螺合するネジ部８１が形成されている。したがって、第４の調整部材８０は、軸周りの一方向側に回転されると、杭本体４０内から外部側に次第に突出し、他方向側に回転されると、調整部材及び杭本体４０内に次第に入っていく。すなわち、基礎杭１は、第４の調整部材８０を回転させることで、第４の調整部材８０の杭本体４０からの突出量を調整することができる。
【００６１】
更に、第４の調整部材８０は、軸方向に貫通孔８２が形成されている。そして、この貫通孔８２には、先端部が第４の調整部材８０の上面から基端側に、受け台１００を締結するために必要な所定の長さ分突出させるように、ボルト８３が配設されている。なお、貫通孔８２を形成してボルト８３を挿通させる代わりに、第４の調整部材８０の上面部に基端側に突出したボルト部を設けるようにしても良い。
【００６２】
更に、第４の調整部材８０の上面部は、基端側に向かうに連れて縮径となるように形成されている。例えば、第４の調整部材８０の上面部は、図１１（Ａ）に示すように、半円球状や、図１１（Ｂ）に示すように、円錐状に形成されている。
【００６３】
以上のような構成を有する基礎杭１は、以下のようにして、地盤１０に設置（埋設）される。なお、杭本体４０が地盤１０に埋設されてクラウド材が注入され、第３の調整部材７０が取り付けられるまでの工程は第４の実施の形態と同様の工程を有するのでここでは説明を省略する。図１１（Ａ）及び図１１（Ｂ）に示すように、杭本体４０が地盤１０に埋設されてクラウド材が注入されて第３の調整部材７０が取り付けられた後に、第４の調整部材８０は、例えば基端部の高さが低い基礎杭１の調整部材及び杭本体４０内のネジ部に螺合される。次いで、基礎杭１は、第４の調整部材８０を回転させて第３の調整部材７０からの突出量を調整することで、基端部が他の基礎杭１の基端部と略同じ高さとなるようにする。以上のようにして、基礎杭１は、第４の調整部材８０によって、基端部が他の基礎杭１の基端部と略同じ高さとなるように設けられる。
【００６４】
次いで、基端部が略同じ高さとなった基礎杭１の締結フランジ部４４及び第４の調整部材８０上に受け台１００が配置される。この際、第４の調整部材８０のボルト８３が受け台１００の貫通孔１０１に挿通されるように、第４の調整部材８０と受け台１００とを当接させる。次いで、ボルト８３をナット８４で締め付けることで、第４の調整部材８０と受け台１００とを締結する。なお、基礎杭１の締結フランジ部４４と受け台１００との締結方法についても同様に行うので、ここでは省略する。
【００６５】
以上のように、第５の実施の形態の基礎杭１は、第４の調整部材８０の基端部上に受け台１００が設けられているので、この受け台１００を介して枠体３１だけの架台３０であっても支持することができる。更に、基礎杭１は、第４の調整部材８０の基端部上に受け台１００が設けられて、この受け台１００を介して枠体３１だけの架台３０が支持されるので、第４の調整部材８０によって、受け台１００の上面１００ａ（太陽電池モジュール２０）の水平方向に対する角度出しを容易且つ正確に行うことができる。
【００６６】
更に、第５の実施の形態の基礎杭１は、第４の調整部材８０の上面部が基端側に向かうに連れて縮径となるように形成されているので、受け台１００の下面１００ｂが第４の調整部材８０の軸線方向に対して直交（９０度）以外の所定の角度を有するように、受け台１００を第４の調整部材８０の基端部上に配置することができる。したがって、基礎杭１は、第４の調整部材８０によって、第４の調整部材８０の基端部上に設けられた受け台１００の上面１００ａ（太陽電池モジュール２０）の水平方向に対する角度出しをより容易且つ正確に行うことができる。
【００６７】
なお、第４の調整部材８０は、杭本体４０の基端部側に設けられた第３の調整部材７０の内周面に形成されたネジ部に螺合されることに限定されるものではなく、杭本体４０や第１の調整部材５０や第２の調整部材６０の内周面に形成されたネジ部に螺合されるようにしても良い。
【００６８】
＜８．第６の実施の形態＞
第６の実施の形態の基礎杭１は、第１〜第５の実施の形態の基礎杭１では先端部を地盤１０に所定の深さ埋設する際に作業者によって例えば基礎杭１の全長と地表１０ａからの突出量とに基づいて先端部の埋設量を把握していたのに対して、図１２に示すように、杭本体４０の羽根部４２と締結フランジ部４４との間の中途部４０ａの外周に、基礎杭１の先端部の埋設量を制限するとともに所定の埋設量になったことを作業者に知らせるストッパ部４７が設けられている。なお、ストッパ部４７以外の構成については、第１〜第５の実施の形態の基礎杭１と同様の構成を有するので、ここでは同じ符号を付して説明を省略する。
【００６９】
ストッパ部４７は、金属製の板材で形成されており、平面視において、円形状又は四角形や六角形や八角形等の多角形状に設けられている。更に、ストッパ部４７は、先端部から所定の距離だけ基端部側に離間した位置に設けられている。このようなストッパ部４７は、杭本体４０が地盤１０に埋設される際に地表１０ａと当接されることで、杭本体４０の先端部が所定の深さ埋設されたことを作業者に知らせることができる。したがって、作業者は、ストッパ部４７が地表１０ａと当接するまで杭本体４０を埋設することで、例えば地表１０ａからの突出量等に基づいて埋設量を算出する必要がなく、基礎杭１の先端部が地盤１０に所定の深さ埋設するように、容易に基礎杭１を埋設することができる。
【００７０】
なお、ストッパ部４７は、基礎杭１の中途部４０ａの基端部から所定距離だけ先端部側に離間した位置に設けられるようにしても良い。この場合、ストッパ部４７は、基礎杭１が地盤１０に埋設される際に地表１０ａと当接されることで、基礎杭１の基端部の突出量が所定の突出量となったことを作業者に知らせることができる。したがって、作業者は、ストッパ部４７が地表１０ａと当接するまで基礎杭１を埋設することで、突出量を測定することなく、基礎杭１を、基端部が地表１０ａから所定の長さ突出するように、容易に地盤１０に埋設することができる。
【００７１】
以上のような構成を有する基礎杭１は、以下のようにして、地盤１０に設置（埋設）される。先ず、基礎杭１は、基端部が任意の回転機に接続された状態で、地盤１０上に設置される架台３０の脚部３２に対応する一の位置に移動される。次いで、基礎杭１は、回転機によって杭本体４０の軸周りに回転され、先端部を挿入端としてストッパ部４７が地表１０ａと当接するまで地盤１０にねじ込まれ、先端部が所定の深さ埋設される。なお、その後の、グラウト材が注入される工程と架台３０が設置される工程については、第１〜第５の実施の形態と同じ工程を有するのでここでは説明を省略する。
【００７２】
以上のように、第６の実施の形態の基礎杭１は、上述した第１〜第５の実施の形態の基礎杭１と同様の作用効果に加え、杭本体４０の中途部４０ａの外周に、基礎杭１の先端部の埋設量を制限するとともに所定の埋設量になったことを作業者に知らせるストッパ部４７が設けられているので、ストッパ部４７が地表１０ａと当接するまで埋設されることで、容易に所定の埋設量又は所定の突出量となるように、地盤１０に埋設することができる。
【００７３】
なお、基礎杭１は、第２の実施の形態の基礎杭１のように、締結フランジ部４４上に第１の調整部材５０を設けて、第１の調整部材５０を介して架台３０を支持するようにしても良い。更に、基礎杭１は、第３の実施の形態の基礎杭１のように、杭本体４０の基端部側に第２の調整部材６０を設けて、第２の調整部材６０を介して架台３０を支持するようにしても良い。更に、基礎杭１は、第４の実施の形態の基礎杭１のように、杭本体４０の基端部側に第３の調整部材７０を設けて、第３の調整部材７０を介して架台３０を支持するようにしても良い。更に、基礎杭１は、第４の実施の形態の基礎杭１のように、受け台１００を介して架台３０を支持するようにしても良い。更に、基礎杭１は、第５の実施の形態の基礎杭１のように、杭本体４０の基端部や第１〜第３の調整部材５０，６０，７０の基端部に第４の調整部材８０を設けて、第４の調整部材８０を介して架台３０を支持するようにしても良い。
【符号の説明】
【００７４】
１  基礎杭、１０  地盤、１０ａ  地表、２０  太陽電池モジュール、３０  架台、３１  枠体、３２  脚部、３２ａ  フランジ部、３３  貫通孔、３４ａ  ボルト、３４ｂ  ナット、４０  杭本体、４０ａ  中途部、４１  掘削部、４２  羽根部、４３  連通孔、４４  締結フランジ部、４５  締結孔、４６  周囲部分、４７  ストッパ部、５０  第１の調整部材、５１ａ  第１のフランジ部、５１ｂ  第２のフランジ部、５２  締結孔、６０  第２の調整部材、６１  ネジ部、６２  フランジ部、６３  貫通孔、７０  第３の調整部材、７１  フランジ部、７２  締結孔、７３  楔部材、７４  止め部材、７５  規制部、７５ａ  拡大部、７５ｂ  ナット、８０  第４の調整部材、８１  ネジ部、８２  貫通孔、８３  ボルト、８４  ナット、１００  受け台、１００ａ  上面、１００ｂ  下面、１０１  貫通孔
【図１】
0003183772.tif 000003
【図２】
0003183772.tif 000004
【図３】
0003183772.tif 000005
【図４】
0003183772.tif 000006
【図５】
0003183772.tif 000007
【図６】
0003183772.tif 000008
【図７】
0003183772.tif 000009
【図８】
0003183772.tif 000010
【図９】
0003183772.tif 000011
【図１０】
0003183772.tif 000012
【図１１】
0003183772.tif 000013
【図１２】
0003183772.tif 000014